(57)【要約】【課題】  コストや装置の大型化を抑えつつ被写体に均一な光を照射可能な照明装置を提供する。【解決手段】  光源と、前記光源から発せられる光を導光し被写界側へと射出する導光部材と、を有する照明装置であって、前記光源は、発光領域の長手方向に第１の領域と第２の領域とを有し、前記第１の領域と前記導光部材とが対向せず、前記第２の領域と前記導光部材とが対向するように配置され、前記導光部材は、前記光源の前記第２の領域から発せられる光を入射させる入射面と、前記入射面に入射した光の進行方向を変更する第１の変更部と、前記第１の変更部で進行方向を変更された光の進行方向を被写界側へ向かう方向へ変更する第２の変更部と、前記第２の変更部で進行方向を変更された光を被写界側へと射出する射出面と、を有する。【選択図】  図１
2014013350.tif 000002
【特許請求の範囲】
【請求項１】
光源と、
前記光源から発せられる光を導光し被写界側へと射出する導光部材と、
を有する照明装置であって、
前記光源は、
発光領域の長手方向に第１の領域と第２の領域とを有し、前記第１の領域と前記導光部材とが対向せず、前記第２の領域と前記導光部材とが対向するように配置され、
前記導光部材は、
前記光源の前記第２の領域から発せられる光を入射させる入射面と、
前記入射面に入射した光の進行方向を変更する第１の変更部と、
前記第１の変更部で進行方向を変更された光の進行方向を被写界側へ向かう方向へ変更する第２の変更部と、
前記第２の変更部で進行方向を変更された光を被写界側へと射出する射出面と、を有することを特徴とする照明装置。
【請求項２】
前記第１の変更部は、前記光源の前記第１の領域から発せられ前記入射面に入射せずに当該第１の変更部に到達した光の進行方向を被写界側へ向かう方向に変更することを特徴とする請求項１に記載の照明装置。
【請求項３】
前記第１の変更部は、前記光源の前記第１の領域から発せられ前記入射面に入射せずに当該第１の変更部に到達した光を反射させることを特徴とする請求項２に記載の照明装置。
【請求項４】
前記第１の変更部は、前記入射面に入射して前記所定の範囲に含まれる角度で当該第１の変更部に到達した光の進行方向を前記第２の変更部へ向かう方向へ変更し、前記入射面に入射して前記所定の範囲に含まれない角度で当該第１の変更部に到達した光の進行方向を被写界側へ向かう方向へ変更することを特徴とする請求項１に記載の照明装置。
【請求項５】
前記第１の変更部は、前記入射面に入射して所定の範囲に含まれる角度で当該第１の変更部に到達した光を反射させ、前記入射面に入射して前記所定の範囲に含まれない角度で当該第１の変更部に到達した光を透過させることを特徴とする請求項４に記載の照明装置。
【請求項６】
前記光源は、前記発光領域の長手方向中央部近傍に前記第１の領域を有し、前記発光領域の長手方向端部近傍に前記第２の領域を有することを特徴とする請求項１ないし５のいずれか１項に記載の照明装置。
【請求項７】
前記光源は、前記発光領域の長手方向両端部近傍に前記第２の領域を有し、前記第２の領域のそれぞれと異なる２つの導光部材とが対向するように配置されることを特徴とする請求項１ないし６のいずれか１項に記載の照明装置。
【請求項８】
前記導光部材は、前記発光領域の長手方向に平行な断面が円弧形状であることを特徴とする請求項１ないし７のいずれか１項に記載の照明装置。
【発明の詳細な説明】
【技術分野】
【０００１】
本発明は、撮像装置の撮影に伴って発光可能な照明装置に関する。
【背景技術】
【０００２】
デジタルスチルカメラ等の撮像装置には、撮影レンズからきわめて近い至近距離の被写体を撮影可能な機能（マクロ撮影機能）を持つものがある。
【０００３】
このようなマクロ撮影機能を用いた撮影（以下、マクロ撮影とする）に伴って照明装置を発光させる場合、被写体に不必要な影が生じないように被写体に対して均一に光が照射されることが好ましい。そこで、マクロ撮影に適した光を照射可能な照明装置として、リング状の光射出部を有し、リング状の光射出部をレンズ鏡筒の先端周囲に取り付け可能な外付けストロボが提案されている（特許文献１を参照）。
【０００４】
特許文献１では、図９に示すように、円弧形状のキセノン（Ｘｅ）管１４、１５を左右に配置してリング状にしている。
【先行技術文献】
【特許文献】
【０００５】
【特許文献１】特開２００１−２１５５７４号公報
【発明の概要】
【発明が解決しようとする課題】
【０００６】
しかしながら、特許文献１で提案されているような外付けストロボでは、キセノン管のような円筒形状のガラス管を円弧形状に曲げる加工を精度よく行うことが難しく、製造の歩留りが悪くなり、コスト高になるといった問題があった。
【０００７】
そこで、本発明は、コストや装置の大型化を抑えつつ被写体に均一な光を照射可能な照明装置を提供することを目的とする。
【課題を解決するための手段】
【０００８】
上記目的を達成するために、本発明に係る照明装置は、光源と、前記光源から発せられる光を導光し被写界側へと射出する導光部材と、を有する照明装置であって、前記光源は、発光領域の長手方向に第１の領域と第２の領域とを有し、前記第１の領域と前記導光部材とが対向せず、前記第２の領域と前記導光部材とが対向するように配置され、前記導光部材は、前記光源の前記第２の領域から発せられる光を入射させる入射面と、前記入射面に入射した光の進行方向を変更する第１の変更部と、前記第１の変更部で進行方向を変更された光の進行方向を被写界側へ向かう方向へ変更する第２の変更部と、前記第２の変更部で進行方向を変更された光を被写界側へと射出する射出面と、を有することを特徴とする。
【発明の効果】
【０００９】
本発明によれば、コストや装置の大型化を抑えつつ被写体に均一な光を照射可能な照明装置を提供することができる。
【図面の簡単な説明】
【００１０】
【図１】本発明の第１の実施形態に係る照明装置の光学系の構成を示す断面図。
【図２】本発明の第１の実施形態に係る照明装置の光学系から射出される光束を説明する断面図。
【図３】本発明の第１の実施形態に係る照明装置の光学系をリングライトに適用した構成の説明図。
【図４】本発明の第１の実施形態に係る照明装置の光学系をリングライトに適用した構成の発光分布を示す図。
【図５】本発明の第１の実施形態に係る照明装置の光学系をリングライトに適用した構成の近距離平面への照射状態を示す図。
【図６】本発明の第２の実施形態に係る照明装置の光学系の構成を示す断面図。
【図７】本発明の第２の実施形態に係る照明装置の光学系から射出される光束を説明する断面図。
【図８】本発明の第１の実施形態に係る照明装置の光学系を適用したリングライトの全体図。
【図９】従来のリングライトの構成の説明図。
【図１０】従来のリングライトおける発光分布を示す図。
【発明を実施するための形態】
【００１１】
以下に、本発明の好ましい実施の形態を、添付の図面に基づいて詳細に説明する。
【００１２】
（第１の実施形態）
以下、図１〜５を参照して、本発明の第１の実施形態に係る照明装置について説明する。なお、本実施形態の光学系は、光源１の長手方向中心で左右対称の形状であるため、図１、２に示す光学系の断面図においては、中心から片側の構成のみを示した説明図となっている。
【００１３】
まず、図１の光学系の構成を示す断面図をもとに、各部の構成についての説明を行う。
【００１４】
光源１は、キセノン発光放電管や冷陰極管といった円筒形状をした光源である。光源１には不図示のトリガコイル、メインコンデンサといった発光に必要な回路部品が電気的に接続され、光源１が発光するようになっている。なお、光源１は、キセノン発光放電管や冷陰極管等の円筒形状の光源の代わりに同等の範囲に複数のＬＥＤを並べて構成しても構わない。
【００１５】
導光部材２は、アクリル材等の光を透過する透明な樹脂材料でできており、光源１から発せられる光を導光して光源１からずれた位置で被写界側へ射出するためのものである。導光部材２には、入射面２ａ、第一の進行方向変更面２ｂ、第二の進行方向変更面２ｃ、射出面２ｄが設けられている。入射面２ａは、光源１の一部に対向するように配置されていて、光源１から発せられる光を入射させる面である。
【００１６】
第一の進行方向変更面（第１の変更部）２ｂは、表面がアルミニウム蒸着や銀蒸着といった金属蒸着膜による鏡面加工が行われている面で、この面に入射するすべての光を反射させ、光の進行方向を変更する。
【００１７】
第二の進行方向変更面（第２の変更部）２ｃは、第一の進行方向変更面２ｂで反射され進行方向が変更された光を、射出面２ｄ方向（被写界側へ向かう方向）へ反射させる効果を持つプリズム部が形成された面である。ここで、第二の進行方向変更面２ｃの特徴の詳細を述べる。第二の進行方向変更面２ｃには、後述の射出面２ｄに対向するように複数の連続するプリズム部が形成されている。プリズム部は、全反射面及び再入射面を含んでいて、導光部材２内を進行し、プリズム部の一つの全反射面に到達した光の内、所定範囲の角度成分の光のみが、全反射面で射出面２ｄに向けて全反射される。一方、全反射面で全反射されない所定範囲の角度成分以外の光は、プリズム部で屈折して導光部材２の外にいったん射出された後に、隣接するプリズム部の再入射面を介して再度導光部材２内に入射するようになっている。
【００１８】
また、プリズム部は、図１に示すように、第一の進行方向変更面２ｂで反射された光の進行方向に向かって、射出面２ｄに直交する方向の厚みが段階的に小さくなっている。
【００１９】
射出面２ｄは、被写界側の面で、光源１から発せられ導光部材２を通り、第二の進行方向変更面２ｃで進行方向を変更された光を、被写界側へと射出する面である。
【００２０】
なお、光源１から発せられる光がどのように被写界側へ導光されるかの詳細の説明は、図２を用いて後述する。
【００２１】
反射板３は、円筒形状の光源１の内部から全方位に射出される光を反射させ、光源１から発せられる光を被写界側と導光部材２側へ向かわせるためのものである。
【００２２】
次に、本実施形態の光学系の構成において、光源１から発せられる主な光束を図２により説明する。
【００２３】
図２（ａ）、（ｂ）は、光源１から発せられる光のうち、導光部材２の内部には入射せずに被写界側に直接射出される光の主な光束を説明する図である。
【００２４】
図２（ａ）は、光源１から発せられる光の一部が、被写界側に直接射出される様子を示す図である。図２（ａ）に示すように、光源１の前には導光部材２が無いため、実際の照明装置に適用する際には、透明の樹脂部材によるカバー板といった部品で覆い、使用者が直接光源１に触れられないように構成することが好ましい。
【００２５】
図２（ｂ）は、光源１から発せられる光の一部が、導光部材２の内部には入射せずに導光部材２の第一の進行方向変更面２ｂに反射して被写界側へと射出される様子を示す図である。図２（ｂ）に示すように、光源１の長手方向中央部近傍（第１の領域）から発せられる光は、第一の進行方向変更面２ｂへの入射角が所定の角度以上になると、第一の進行方向変更面２ｂにて反射される。その結果、光源１の中央部近傍から発せられる光が中央部周辺に集光されることで、効率の良い配光にすることが可能となる。
【００２６】
図２（ｃ）、（ｄ）は、光源１から発せられる光のうち、導光部材２の入射面２ａから導光部材２に入射して被写界側に射出される光の主な光束を説明する図である。
【００２７】
図２（ｃ）は、光源１から発せられる光の一部が、導光部材２の入射面２ａに入射して、第一の進行方向変更面２ｂで反射する様子を示す図である。図２（ｃ）に示すように、第一の進行方向変更面２ｂで反射された光は第二の進行方向変更面２ｃに向かって導光され、第二の進行方向変更面２ｃで反射して射出面２ｄから被写界側へと射出される。ここで、第二の進行方向変更面２ｃは、上述の複数の連続するプリズム部により構成されていて、図２（ｃ）に示す光線ｎのように、プリズム部に所定角度で入射する光は全反射され射出面２ｄから射出される。また、図２（ｃ）の光線ｍのように、プリズム部で全反射されない光は、一つのプリズム部で屈折して、導光部材２の外にいったん導かれた後に、隣接するプリズム部の再入射面を介して再度導光部材２内に入射するようになる。
【００２８】
また、図２（ｃ）に示すように、発光点として機能する部分が第二の進行方向変更面２ｃの各プリズム部の谷部近傍（全反射面の一部分）に集中していることがわかる。これは、図２（ｃ）に示すように、第二の進行方向変更面２ｃの連続する複数のプリズム部が階段状の段差になっているためである。したがって、射出面２ｄから射出される光は、複数のプリズム部のピッチＡ（ｍｍ）に依存した間隔で発光点ができるという特徴がある。
【００２９】
図２（ｄ）は、光源１から発せられる光の一部が、導光部材２の入射面２ａに入射し、導光部材２を介して、射出面２ｄから射出される光束を示す図である。図２（ｄ）に示すように、光源１から発せられる光は導光部材２の入射面２ａと射出面２ｄで屈折して被写界側に射出されるようになっている。
【００３０】
以上、図２（ａ）〜（ｄ）に示した、光源１、導光部材２から射出される主な光束により、均一で広い範囲の発光面を持つ光源を構成することが可能となる。
【００３１】
次に、好ましい各形状を決定する数値について説明をする。
【００３２】
図１に示す導光部材２の第一の進行方向変更面２ｂの入射面２ａとなす角度αは、以下の式１の関係を満足する範囲内の値に設定することが好ましい。
４５°≦α≦６５°・・・式１
光源１から発せられる光が第一の進行方向変更面２ｂで反射される上で、角度αが小さいと光源１からの光を反射して中央近傍に集光させる効果が下がり、均一な発光面にならない。そこで、中央近傍に集光させる効果を十分に得られる下限の角度を４５°としている。
【００３３】
また、光源１から発せられる光が、導光部材２の入射面２ａに入射して、第一の進行方向変更面２ｂで反射される上で、角度αが大きいと第一の進行方向変更面２ｂの反射により第二の進行方向変更面２ｃに向かう光の量が減ってしまい、均一な発光面にならない。そこで、第一の進行方向変更面２ｂの反射により第二の進行方向変更面２ｃに向かう光の量を十分に得られる上限の角度を６５°としている。
【００３４】
次に、図２に示す導光部材２の第二の進行方向変更面２ｃの射出面２ｄとなす角度βは、以下の式２の関係を満足する範囲内の値に設定することが好ましい。
３０°≦β≦４５°・・・式２
照明光学系に一般的に使用される光学樹脂材料を用いた場合、角度βが４５°を超えると、各プリズム部の全反射面で全反射する光線の本数が極端に減少する。つまりは、図２（ｃ）に示す射出面２ｄから射出される光線の本数が極端に減少することとなる。また、全反射が減る分、屈折の回数が増加し、導光部材２への入射／射出に伴う表面反射による光量損失量が極端に増し、望ましい光学系にならないためである。また、角度βが３０°以下になると、図２（ｃ）に示す射出光線の射出面２ｄに対する角度が大きくなりすぎ、望ましい光学系とならないためである。
【００３５】
次に導光部材２の第二の進行方向変更面２ｃに形成された複数のプリズム部のピッチＡ（ｍｍ）は、以下の式３の関係を満足する範囲内の値に設定されることが好ましい。
０．２≦Ａ≦４．０・・・式３
ピッチＡが０．２ｍｍ以下になると、第二の進行方向変更面２ｃの形成時に形成されるプリズム部の頂点近傍のＲ面の影響が大きくなり、第二の進行方向変更面２ｃの持つ入射光束の角度による分離や全反射の機能を有効に発揮させることができない。また、このような微細なプリズム部において、そのエッジを確実に形成することが可能な形成方法を用いれば、第二の進行方向変更面２ｃの製造コストは非常に高価になり、実用的ではない。
【００３６】
一方、第二の進行方向変更面２ｃにおいては、上述したように、このピッチＡに当たる稜線部（プリズム部の谷部近傍）に発光点が集中する。換言すれば、この稜線部のピッチＡが広いと、発光点の数が少なくなり、それぞれの発光点の発光強度が強くなる。この観点から、ピッチＡが４．０ｍｍ以下とするのは、マクロ撮影の照明光学系としては、各発光点における発光量が少なく、発光点の数が多い方が適しているためである。また別の理由として、このピッチが広くなるということは、第二の進行方向変更面２ｃの厚さが厚くなることであり、小型化の観点からも望ましくない。ここで、導光部材２の厚さが厚くなるように形成すれば、均一な配光特性を得る上では都合は良いが、第二の進行方向変更面２ｃの厚さが必要以上に厚くなり、部材の大型化というデメリットが生じる。
【００３７】
なお、上記で例示した数値は、光源１の長手方向の幅と、射出面２ｄの幅を含めた発光面の幅を一定としたときに最適な光学系を形成するための数値として決定されたものである。しかしながら、光源１の長手方向の幅と、発光面の幅を適宜に設定することによって、上記で例示した数値の範囲に限定されることは無く、他の数値範囲に設定することも可能である。
【００３８】
図３は、本実施形態における光学系を射出面が略円形状の照明装置（以下、リングライトとする）に適用したときの構成を説明する図である。図３のリングライトは、撮像装置のレンズ鏡筒を囲むようにレンズ鏡筒などに取り付け可能である。また、図３に示すように、円形状のリングライトの中心である点Ｏを挟んで左右対称に一対の光源１が配置されている。そして、一対の光源１と重なる円周上に、導光部材２が配置されている。導光部材２は、それぞれの光源１に２つ配置されていて、２つの互いに異なる導光部材２は、それぞれ入射面２ａが光源１の長手方向端部近傍（第２の領域）と対向しており、光源１から発せられる光の一部が導光されるように配置されている。すなわち、光源１の長手方向両端部近傍のそれぞれと異なる２つの導光部材とが対向するように配置されている。また、導光部材２は、図３に示すように、点Ｏを中心とした円に沿うように、光源１の長手方向に平行な断面が曲げられた円弧形状となっている。
【００３９】
リングライト本体４は、光源１、導光部材２、反射板３を図示の保持部材等で保持している。また、ここでは図示しないが、リングライトに適用する上では、導光部材２の射出面２ｄの被写界側の面に対向して、拡散板や透明のアクリル板といったカバー部材を配置することで、撮影者が直接光源１や導光部材２に触れられない構成にすることが好ましい。
【００４０】
なお、図３では、左側の導光部材２と右側の導光部材２との間に間隔を設けているが、左側の導光部材２と右側の導光部材２とを隣接させることも可能である。図９に示す従来のリングライトは、キセノン管１４、１５の両端にそれぞれのキセノン管を発光させるエネルギーを供給するためのリード線が接続される端子があり、キセノン管１４、１５の両端近傍には、キセノン管１４、１５を保持する保持部材が設けてある。そのため、キセノン管１４の発光領域とキセノン管１５の発光領域とを隣接させることはできず、キセノン管１４とキセノン管１５の間の領域（図９の上部と下部）で十分に光量が得られないことが考えられる。それに対して、図３に示すリングライトでは、左側の導光部材２と右側の導光部材２とを隣接させる際に一対の光源１を互いに近づける必要がないため、射出面を連続した円形状にすることが容易である。
【００４１】
図８は、本実施形態における光学系を適用したリングライトの全体図であり、前述したリングライト本体４は、制御部本体１０とケーブル２０によって接続されている。実際は、透明の樹脂部材によるカバー板といった部品で光源１や導光部材２を覆い、使用者が直接光源１に触れられないように構成することが好ましいが、光源１の位置や導光部材の形状がわかりやすいように、図８ではカバー板で覆っていない状態を示している。
【００４２】
制御部本体１０の内部には、光源１を発光させるための電気エネルギーを蓄積するメインコンデンサ、メインコンデンサを充電するための電池を収納する電池収納部、光源１の発光制御を行う制御部などが設けられている。ケーブル２０は、制御部本体１０に蓄積された電気エネルギーをリングライト本体４に伝達する。なお、図８に示したリングライトは一例であって、制御部本体やケーブルを有さずに、リングライト本体にメインコンデンサなどの発光に関わる電子部品が搭載されている構成であってもよい。
【００４３】
図４は、図３に示した光学系を適用したリングライトにおける、配光分布の図であり、図３に示すｘｙｚの軸方向に対応した、ｚｘ平面内とｙｚ平面内の配光分布を示している。なお、図４における０〜９０の値は、図３に示す点Ｏを通るＺ方向の軸（代表的な照射光軸）に対する角度を表している。また、図４における−３〜１の値は、点Ｏを通るＺ方向の軸上の発光強度を基準にした相対値を表していて、例えば、値が−１であれば点Ｏを通るＺ方向の軸上よりも発光強度が１段小さいことを意味している。
【００４４】
図４に示した配光分布は、図９を参照して説明した従来例のリングライトの配光分布を示す図１０と比較して配光範囲が狭い。例えば、マクロ撮影時の撮影画角に必要とされる配光範囲は、代表的な照射光軸に対して３０°程度であり、図４に示した配光分布は、図１０に示した従来のリングライトの配光範囲よりもマクロ撮影に適している。
【００４５】
また、本実施形態の光学系は、従来例のリングライトよりも配光範囲が狭いので、同様の光源を用いた場合には、本実施形態の光学系のほうが従来例のリングライトよりも配光範囲内の発光強度は大きい。
【００４６】
以上のように、本実施形態の光学系は、従来例のリングライトよりも被写体に均一な光を効率よく照射することができる。
【００４７】
図５は、導光部材２の射出面２ｄに近接した平面（近距離平面）を照射したときの照射状態を示す図である。図５に示すように、近接平面に照射された光は略均一であり、本実施形態の光学系の構成を適用すれば、コストや装置の大型化を抑えつつ、マクロ撮影時に被写体に不必要な影が生じないように被写体に対して均一に光を照射可能である。
【００４８】
（第２の実施形態）
以下、図６、図７を参照して、本発明の第２の実施形態に係る照明装置について説明する。なお、本実施形態では第１の実施形態と同一である部分については説明を割愛し、異なる部分について説明を行う。
【００４９】
図６は、本実施形態の光学系の構成を示す断面図である。導光部材５は、第１の実施形態の導光部材２と同様に、アクリル材等の光を透過する透明な樹脂材料でできており、光源１から発せられる光を導光して光源１の存在しない位置から被写界側へ射出するためのものである。具体的には、導光部材５は、光源１から発せられる光を、入射面５ａから入射させ、第一の進行方向変更面（第１の変更部）５ｂ、第二の進行方向変更面（第２の変更部）５ｃを介し、射出面５ｄから被写界側へ射出する。第１の実施形態と異なり、第一の進行方向変更面５ｂは、導光部材５の入射面５ａから入射した光のうち、所定の範囲に含まれる角度の光を全反射する全反射面と、所定の範囲に含まれない角度の光を透過・屈折させて被写界側に射出する屈折面として機能する。
【００５０】
図７は本実施形態の光学系の構成において、光源１から発せられる主な光束を説明する断面図である。
【００５１】
図７（ａ）は、光源１から発せられる光のうち、導光部材５の内部には入射せずに被写界側に直接射出される光の主な光束を説明する図である。図７（ａ）に示すように、光源１の長手方向中央部近傍（第１の領域）から発せられる光は導光部材５を介さずに被写界側へと射出される。
【００５２】
図７（ｂ）、（ｃ）は、光源１から発せられる光のうち、導光部材５の入射面５ａから導光部材５に入射して被写界側に射出される光の主な光束を説明する図である。
【００５３】
図７（ｂ）は、光源１から発せられる光の一部が、導光部材５の入射面５ａに入射して、第一の進行方向変更面５ｂで反射される様子を示す図である。図７（ｂ）に示すように、光源１から発せられる光の一部は、導光部材５の入射面５ａに入射し、第一の進行方向変更面５ｂに所定の範囲に含まれる角度で入射すると、第一の進行方向変更面５ｂで全反射され、第二の進行方向変更面５ｃに向けて導光される。
【００５４】
図７（ｃ）は、光源１から発せられる光の一部が、導光部材５に入射して、第一の進行方向変更面５ｂで透過する様子を示す図である。図７（ｃ）に示すように、光源１から発せられる光の一部は、導光部材５の入射面５ａを入射し、第一の進行方向変更面５ｂに所定の範囲に含まれない角度で入射すると、屈折して透過し、被写界側に向かって射出される。
【００５５】
次に、好ましい各形状を決定する数値についての説明をする。
【００５６】
図６に示す導光部材５の第一の進行方向変更面５ｂの入射面５ａとなす角度γは、以下の式４の関係を満足する範囲内の値に設定することが好ましい。
２５°≦γ≦６０°・・・式４
光源１から発せられる光が、導光部材５の入射面５ａに入射して第一の進行方向変更面５ｂで反射される上で、角度γが小さいと第一の進行方向変更面５ｂで全反射される光が少なくなる。そのため、第二の進行方向変更面５ｃに向かう光の量が減ってしまい均一な発光面にならない。そこで、第一の進行方向変更面５ｂの全反射により第二の進行方向変更面５ｃに向かう光の量を十分に得られる角度を２５°としている。
【００５７】
また、光源１から発せられる光が、導光部材５の入射面５ａに入射して第一の進行方向変更面５ｂを反射される上で、角度γが大きいと反射された光が第二の進行方向変更面５ｃに向かわずに射出面５ｄから射出されることとなり均一な発光面にならない。そこで、第一の進行方向変更面５ｂで反射された後に射出面５ｄに向かわず第二の進行方向変更面５ｃに向かう光の量を十分に得られる角度を６０°としている。
【００５８】
なお、上記で例示した数値は、光源１の長手方向の幅と、射出面５ｄの幅を含めた発光面の幅を一定としたときに最適な光学系を形成するための数値として決定されたものである。しかしながら、光源１の長手方向の幅と、発光面の幅を適宜に設定することによって、上記で例示した数値の範囲に限定されることは無く、他の数値範囲に設定することも可能である。
【００５９】
以上のように、本実施形態においても、従来のリングライトに比べ、必要な画角範囲に光を集光させることで、中心強度が強くなり、効率的に被写体を照射可能である。また、コストや装置の大型化を抑えつつ、マクロ撮影時に被写体に不必要な影が生じないように被写体に対して均一に光を照射可能である。
【００６０】
以上、本発明の好ましい実施形態について説明したが、本発明はこれらの実施形態に限定されず、その要旨の範囲内で種々の変形及び変更が可能である。
【００６１】
例えば、上記の２つの実施形態では、リングライトに適用した例を説明したが、射出面が直線状の照明装置にも適用可能である。
【００６２】
また、例えば、上記の２つの実施形態では、光源が一対のリングライトに適用した例を説明したが、光源が１つ、あるいは、３つ以上の照明装置にも適用可能である。
【００６３】
また、例えば、上記の２つの実施形態では、光学系が光源１の長手方向中心で左右対称の形状である例を説明したが、左右対称の形状ではない光学系を有する照明装置にも適用可能である。
【符号の説明】
【００６４】
１  光源
２  導光部材
３  反射板
４  リングライト本体
５  導光部材
１０  制御部本体
【図１】
2014013350.tif 000003
【図２】
2014013350.tif 000004
【図３】
2014013350.tif 000005
【図４】
2014013350.tif 000006
【図６】
2014013350.tif 000007
【図７】
2014013350.tif 000008
【図８】
2014013350.tif 000009
【図９】
2014013350.tif 000010
【図１０】
2014013350.tif 000011
【図５】
2014013350.tif 000012